(57)【特許請求の範囲】
【請求項１】
ボイラ本体（１）から排出される硫黄分を含む排ガスを煙突（１０）へ導く排ガスライン（２）と、該排ガスライン（２）途中に設けられ且つボイラ本体（１）から排出される排ガスを誘引する誘引通風機（３）と、該誘引通風機（３）によって誘引される排ガスの流量を調整するための誘引通風機ガス流量制御ダンパ（４）と、前記誘引通風機（３）の下流側の排ガスライン（２）途中に配設され且つ前記排ガスから硫黄分を除去するための脱硫装置（５）と、該脱硫装置（５）の下流側の排ガスライン（２）途中に設けられた脱硫通風機（６）と、該脱硫通風機（６）によって誘引され且つ脱硫装置（５）を通過する脱硫ガスの流量を調整するための脱硫通風機ガス流量制御ダンパ（７）と、前記誘引通風機（３）と脱硫装置（５）との間の排ガスライン（２）途中から分岐し且つ前記脱硫通風機（６）の下流側の排ガスライン（２）途中に接続される脱硫バイパスライン（８）と、該脱硫バイパスライン（８）途中に設けられた脱硫バイパスダンパ（９）とを備えた脱硫装置のガス流量制御装置であって、
ボイラ本体（１）から排出される排ガス流量（２６）を検出する排ガス流量検出器（２７）と、
脱硫装置（５）を通過した脱硫ガス流量（２８）を検出する脱硫ガス流量検出器（２９）と、
脱硫バイパスダンパ（９）の上流側と下流側の差圧（１３）を検出する脱硫バイパスダンパ差圧検出器（１２）と、
誘引通風機ガス流量制御ダンパ開度指令（１１）に基づき脱硫通風機ガス流量制御ダンパ基本開度指令（１５）を出力する関数発生器（１４）と、
前記脱硫バイパスダンパ差圧検出器（１２）で検出した差圧（１３）と脱硫バイパスダンパ差圧目標値（１７）との差を求め、差圧偏差信号（１８）を出力する減算器（１６）と、
該減算器（１６）から出力される差圧偏差信号（１８）を比例積分処理し、該差圧偏差信号（１８）を０とするための脱硫通風機ガス流量制御ダンパ開度補正指令（２０）を出力する比例積分調節器（１９）と、
前記排ガス流量検出器（２７）で検出した排ガス流量（２６）に基づき脱硫ガス流量目標値（３０）を出力する関数発生器（３１）と、
前記脱硫ガス流量検出器（２９）で検出した脱硫ガス流量（２８）と前記関数発生器（３１）から出力される脱硫ガス流量目標値（３０）との差を求め、脱硫ガス流量偏差信号（３２）を出力する減算器（３３）と、
該減算器（３３）から出力される脱硫ガス流量偏差信号（３２）を比例積分処理し、該脱硫ガス流量偏差信号（３２）を０とするための脱硫通風機ガス流量制御ダンパ開度補正指令（３４）を出力する比例積分調節器（３５）と、
前記脱硫バイパスダンパ（９）閉時には前記差圧偏差信号（１８）を比例積分処理する比例積分調節器（１９）からの脱硫通風機ガス流量制御ダンパ開度補正指令（２０）を信号（２２）として出力する一方、前記脱硫バイパスダンパ（９）開時には前記脱硫ガス流量偏差信号（３２）を比例積分処理する比例積分調節器（３５）からの脱硫通風機ガス流量制御ダンパ開度補正指令（３４）を信号（２２）として出力する切換リレー（２１）と、
前記関数発生器（１４）から出力される脱硫通風機ガス流量制御ダンパ基本開度指令（１５）と前記切換リレー（２１）から出力される信号（２２）との和を求め、脱硫通風機ガス流量制御ダンパ（７）へ開度指令（２５）を出力する加算器（２４）と
を備えたことを特徴とする脱硫装置のガス流量制御装置。
【発明の詳細な説明】
【０００１】
【産業上の利用分野】
本発明は、脱硫装置のガス流量制御装置に関するものである。
【０００２】
【従来の技術】
一般に、石炭等の硫黄分を含む燃料が使用され、硫黄分を含む排ガスが排出されるボイラ設備においては、排ガスから硫黄分を除去するための脱硫装置が設けられる。
【０００３】
図３は斯かる従来の脱硫装置のガス流量制御装置の一例を表わすものであって、１は硫黄分を含む排ガスが排出されるボイラ本体、２はボイラ本体１から排出される排ガスを煙突１０へ導く排ガスライン、３は排ガスライン２途中に設けられ且つボイラ本体１から排出される排ガスを誘引する誘引通風機、４は誘引通風機３によって誘引される排ガスの流量を調整するための誘引通風機ガス流量制御ダンパ、５は前記誘引通風機３の下流側の排ガスライン２途中に配設され且つ前記排ガスから硫黄分を除去するための脱硫装置、６は脱硫装置５の下流側の排ガスライン２途中に設けられた脱硫通風機、７は脱硫通風機６によって誘引され且つ脱硫装置５を通過する脱硫ガスの流量を調整するための脱硫通風機ガス流量制御ダンパ、８は前記誘引通風機３と脱硫装置５との間の排ガスライン２途中から分岐し且つ前記脱硫通風機６の下流側の排ガスライン２途中に接続される脱硫バイパスライン、９は脱硫バイパスライン８途中に設けられた脱硫バイパスダンパである。
【０００４】
前記誘引通風機ガス流量制御ダンパ４は、ボイラ炉内圧制御指令に応じて出力される誘引通風機ガス流量制御ダンパ開度指令１１に基づいて開度調整されるようになっている。
【０００５】
又、図３中、１２は脱硫バイパスダンパの上流側と下流側の差圧１３を検出する脱硫バイパスダンパ差圧検出器、１４は誘引通風機ガス流量制御ダンパ開度指令１１に基づき脱硫通風機ガス流量制御ダンパ基本開度指令１５を出力する関数発生器、１６は前記脱硫バイパスダンパ差圧検出器１２で検出した差圧１３と脱硫バイパスダンパ差圧目標値１７との差を求め、差圧偏差信号１８を出力する減算器、１９は減算器１６から出力される差圧偏差信号１８を比例積分処理し、該差圧偏差信号１８を０とするための脱硫通風機ガス流量制御ダンパ開度補正指令２０を出力する比例積分調節器、２１は前記脱硫バイパスダンパ９閉時には前記比例積分調節器１９からの脱硫通風機ガス流量制御ダンパ開度補正指令２０を信号２２として出力する一方、前記脱硫バイパスダンパ９開時には無条件に０の信号２３を信号２２として出力する切換リレー、２４は前記関数発生器１４から出力される脱硫通風機ガス流量制御ダンパ基本開度指令１５と前記切換リレー２１から出力される信号２２との和を求め、脱硫通風機ガス流量制御ダンパ７へ開度指令２５を出力する加算器であり、前記脱硫通風機ガス流量制御ダンパ７は、加算器２４から出力される開度指令２５に基づいて開度調整されるようになっている。
【０００６】
尚、前記関数発生器１４には、図４に示されるような関数が入力されており、該関数は、誘引通風機ガス流量制御ダンパ開度指令１１の増減に対し略比例させて脱硫通風機ガス流量制御ダンパ基本開度指令１５を増減させることを表わしている。
【０００７】
前述の如き脱硫装置のガス流量制御装置においては、脱硫装置５に故障等がなく、脱硫バイパスダンパ９が閉じた状態での通常の運転時には、ボイラ炉内圧制御指令に応じて出力される誘引通風機ガス流量制御ダンパ開度指令１１に基づいて誘引通風機ガス流量制御ダンパ４が開度調整されると共に、前記誘引通風機ガス流量制御ダンパ開度指令１１が関数発生器１４へ入力され、該関数発生器１４において誘引通風機ガス流量制御ダンパ開度指令１１に基づき脱硫通風機ガス流量制御ダンパ基本開度指令１５が加算器２４へ出力され、脱硫バイパスダンパ差圧検出器１２によって脱硫バイパスダンパ９の上流側と下流側の差圧１３が検出され、減算器１６において差圧１３と脱硫バイパスダンパ差圧目標値１７との差が求められて差圧偏差信号１８が比例積分調節器１９へ出力され、該比例積分調節器１９において差圧偏差信号１８が比例積分処理されて該差圧偏差信号１８を０とするための脱硫通風機ガス流量制御ダンパ開度補正指令２０が切換リレー２１へ出力され、該切換リレー２１から脱硫通風機ガス流量制御ダンパ開度補正指令２０が信号２２として加算器２４へ出力され、該加算器２４において前記関数発生器１４から出力される脱硫通風機ガス流量制御ダンパ基本開度指令１５と前記切換リレー２１から出力される信号２２との和が求められて脱硫通風機ガス流量制御ダンパ７へ開度指令２５が出力され、脱硫通風機ガス流量制御ダンパ７が開度調整され、これにより、脱硫バイパスライン８における脱硫バイパスダンパ９の下流側圧力が上流側圧力よりも若干高くなるように制御が行われ、脱硫前の未処理の排ガスが脱硫バイパスライン８の脱硫バイパスダンパ９を経て外部へ漏洩しないようになっている。
【０００８】
一方、万が一、脱硫装置５の図示していないガスガスヒータやミストエリミネータ等が故障したような場合には、ボイラ本体１の運転は停止されるが、急には止らないため、ボイラ本体１の運転が停止するまでの間、ボイラ本体１の火炉圧が異常に高まることを防止するために、脱硫バイパスダンパ９が開かれ、該脱硫バイパスダンパ９が開かれると、切換リレー２１から無条件に０の信号２３が信号２２として加算器２４へ出力され、脱硫通風機ガス流量制御ダンパ７の開度は、誘引通風機ガス流量制御ダンパ開度指令１１に基づいて関数発生器１４から出力される脱硫通風機ガス流量制御ダンパ基本開度指令１５によって制御される形となる。
【０００９】
【発明が解決しようとする課題】
しかしながら、前述の如き脱硫装置のガス流量制御装置では、脱硫装置５の図示していないガスガスヒータやミストエリミネータ等の故障時に脱硫バイパスダンパ９が開かれた場合、ボイラ本体１の運転が停止するまでの間、硫黄分を含む排ガスが未処理のまま脱硫バイパスライン８を経由して煙突１０から大気へ放出される可能性があった。
【００１０】
本発明は、斯かる実情に鑑み、脱硫装置のガスガスヒータやミストエリミネータ等の故障時に脱硫バイパスダンパが開かれた場合にも、硫黄分を含む排ガスが未処理のまま脱硫バイパスラインを経由して煙突から大気へ放出されることを防止し得る脱硫装置のガス流量制御装置を提供しようとするものである。
【００１１】
【課題を解決するための手段】
本発明は、ボイラ本体１から排出される硫黄分を含む排ガスを煙突１０へ導く排ガスライン２と、該排ガスライン２途中に設けられ且つボイラ本体１から排出される排ガスを誘引する誘引通風機３と、該誘引通風機３によって誘引される排ガスの流量を調整するための誘引通風機ガス流量制御ダンパ４と、前記誘引通風機３の下流側の排ガスライン２途中に配設され且つ前記排ガスから硫黄分を除去するための脱硫装置５と、該脱硫装置５の下流側の排ガスライン２途中に設けられた脱硫通風機６と、該脱硫通風機６によって誘引され且つ脱硫装置５を通過する脱硫ガスの流量を調整するための脱硫通風機ガス流量制御ダンパ７と、前記誘引通風機３と脱硫装置５との間の排ガスライン２途中から分岐し且つ前記脱硫通風機６の下流側の排ガスライン２途中に接続される脱硫バイパスライン８と、該脱硫バイパスライン８途中に設けられた脱硫バイパスダンパ９とを備えた脱硫装置のガス流量制御装置であって、
ボイラ本体１から排出される排ガス流量２６を検出する排ガス流量検出器２７と、
脱硫装置５を通過した脱硫ガス流量２８を検出する脱硫ガス流量検出器２９と、
脱硫バイパスダンパ９の上流側と下流側の差圧１３を検出する脱硫バイパスダンパ差圧検出器１２と、
誘引通風機ガス流量制御ダンパ開度指令１１に基づき脱硫通風機ガス流量制御ダンパ基本開度指令１５を出力する関数発生器１４と、
前記脱硫バイパスダンパ差圧検出器１２で検出した差圧１３と脱硫バイパスダンパ差圧目標値１７との差を求め、差圧偏差信号１８を出力する減算器１６と、
該減算器１６から出力される差圧偏差信号１８を比例積分処理し、該差圧偏差信号１８を０とするための脱硫通風機ガス流量制御ダンパ開度補正指令２０を出力する比例積分調節器１９と、
前記排ガス流量検出器２７で検出した排ガス流量２６に基づき脱硫ガス流量目標値３０を出力する関数発生器３１と、
前記脱硫ガス流量検出器２９で検出した脱硫ガス流量２８と前記関数発生器３１から出力される脱硫ガス流量目標値３０との差を求め、脱硫ガス流量偏差信号３２を出力する減算器３３と、
該減算器３３から出力される脱硫ガス流量偏差信号３２を比例積分処理し、該脱硫ガス流量偏差信号３２を０とするための脱硫通風機ガス流量制御ダンパ開度補正指令３４を出力する比例積分調節器３５と、
前記脱硫バイパスダンパ９閉時には前記差圧偏差信号１８を比例積分処理する比例積分調節器１９からの脱硫通風機ガス流量制御ダンパ開度補正指令２０を信号２２として出力する一方、前記脱硫バイパスダンパ９開時には前記脱硫ガス流量偏差信号３２を比例積分処理する比例積分調節器３５からの脱硫通風機ガス流量制御ダンパ開度補正指令３４を信号２２として出力する切換リレー２１と、
前記関数発生器１４から出力される脱硫通風機ガス流量制御ダンパ基本開度指令１５と前記切換リレー２１から出力される信号２２との和を求め、脱硫通風機ガス流量制御ダンパ７へ開度指令２５を出力する加算器２４と
を備えたことを特徴とするものである。
【００１２】
【作用】
従って、脱硫装置５に故障等がなく、脱硫バイパスダンパ９が閉じた状態での通常の運転時には、ボイラ炉内圧制御指令に応じて出力される誘引通風機ガス流量制御ダンパ開度指令１１に基づいて誘引通風機ガス流量制御ダンパ４が開度調整されると共に、前記誘引通風機ガス流量制御ダンパ開度指令１１が関数発生器１４へ入力され、該関数発生器１４において誘引通風機ガス流量制御ダンパ開度指令１１に基づき脱硫通風機ガス流量制御ダンパ基本開度指令１５が加算器２４へ出力され、脱硫バイパスダンパ差圧検出器１２によって脱硫バイパスダンパ９の上流側と下流側の差圧１３が検出され、減算器１６において差圧１３と脱硫バイパスダンパ差圧目標値１７との差が求められて差圧偏差信号１８が比例積分調節器１９へ出力され、該比例積分調節器１９において差圧偏差信号１８が比例積分処理されて該差圧偏差信号１８を０とするための脱硫通風機ガス流量制御ダンパ開度補正指令２０が切換リレー２１へ出力され、該切換リレー２１から脱硫通風機ガス流量制御ダンパ開度補正指令２０が信号２２として加算器２４へ出力され、該加算器２４において前記関数発生器１４から出力される脱硫通風機ガス流量制御ダンパ基本開度指令１５と前記切換リレー２１から出力される信号２２との和が求められて脱硫通風機ガス流量制御ダンパ７へ開度指令２５が出力され、脱硫通風機ガス流量制御ダンパ７が開度調整され、これにより、脱硫バイパスライン８における脱硫バイパスダンパ９の下流側圧力が上流側圧力よりも若干高くなるように制御が行われ、脱硫前の未処理の排ガスが脱硫バイパスライン８の脱硫バイパスダンパ９を経て外部へ漏洩することが防止される。
【００１３】
一方、万が一、脱硫装置５のガスガスヒータやミストエリミネータ等が故障したような場合に、脱硫バイパスダンパ９が開かれると、排ガス流量検出器２７で検出された排ガス流量２６に基づき関数発生器３１から脱硫ガス流量目標値３０が減算器３３へ出力され、該減算器３３において、脱硫ガス流量検出器２９で検出された脱硫ガス流量２８と前記関数発生器３１から出力される脱硫ガス流量目標値３０との差が求められて脱硫ガス流量偏差信号３２が比例積分調節器３５へ出力され、該比例積分調節器３５において減算器３３から出力される脱硫ガス流量偏差信号３２が比例積分処理されて該脱硫ガス流量偏差信号３２を０とするための脱硫通風機ガス流量制御ダンパ開度補正指令３４が切換リレー２１へ出力され、該切換リレー２１から脱硫通風機ガス流量制御ダンパ開度補正指令３４が信号２２として加算器２４へ出力され、該加算器２４において前記関数発生器１４から出力される脱硫通風機ガス流量制御ダンパ基本開度指令１５と前記切換リレー２１から出力される信号２２との和が求められて脱硫通風機ガス流量制御ダンパ７へ開度指令２５が出力され、脱硫通風機ガス流量制御ダンパ７が開度調整され、これにより、脱硫ガス流量２８が脱硫ガス流量目標値３０となるように制御が行われる。
【００１４】
ここで、脱硫ガス流量目標値３０を排ガス流量２６より所要量αだけ多い値に設定しておけば、脱硫バイパスライン８の下流側から上流側へ向け所要量αの脱硫後の排ガスが流れて脱硫装置５の上流側の排ガスライン２へ戻される形となり、この結果、脱硫前の未処理の排ガスが脱硫バイパスライン８の脱硫バイパスダンパ９を経て煙突１０から大気へ放出されることがなくなる。
【００１５】
【実施例】
以下、本発明の実施例を図面を参照しつつ説明する。
【００１６】
図１は本発明の一実施例であって、図中、図３と同一の符号を付した部分は同一物を表わしており、誘引通風機ガス流量制御ダンパ４の上流側の排ガスライン２に、ボイラ本体１から排出される排ガス流量２６を検出する排ガス流量検出器２７を設けると共に、脱硫通風機ガス流量制御ダンパ７の上流側の排ガスライン２に、脱硫装置５を通過した脱硫ガス流量２８を検出する脱硫ガス流量検出器２９を設け、更に、前記排ガス流量検出器２７で検出した排ガス流量２６に基づき脱硫ガス流量目標値３０を出力する関数発生器３１と、前記脱硫ガス流量検出器２９で検出した脱硫ガス流量２８と前記関数発生器３１から出力される脱硫ガス流量目標値３０との差を求め、脱硫ガス流量偏差信号３２を出力する減算器３３と、該減算器３３から出力される脱硫ガス流量偏差信号３２を比例積分処理し、該脱硫ガス流量偏差信号３２を０とするための脱硫通風機ガス流量制御ダンパ開度補正指令３４を切換リレー２１へ出力する比例積分調節器３５とを追加装備せしめ、脱硫バイパスダンパ９閉時には比例積分調節器１９からの脱硫通風機ガス流量制御ダンパ開度補正指令２０を切換リレー２１から信号２２として出力する一方、前記脱硫バイパスダンパ９開時には前記比例積分調節器３５からの脱硫通風機ガス流量制御ダンパ開度補正指令３４を切換リレー２１から信号２２として出力するよう構成する。
【００１７】
尚、前記関数発生器３１には、図２に示されるような関数が入力されており、該関数は、排ガス流量２６に対し脱硫ガス流量目標値３０を常に所要量αだけ多く設定することを表わしている。
【００１８】
次に、上記実施例の作動を説明する。
【００１９】
脱硫装置５に故障等がなく、脱硫バイパスダンパ９が閉じた状態での通常の運転時には、図３に示される従来例の場合と同様、ボイラ炉内圧制御指令に応じて出力される誘引通風機ガス流量制御ダンパ開度指令１１に基づいて誘引通風機ガス流量制御ダンパ４が開度調整されると共に、前記誘引通風機ガス流量制御ダンパ開度指令１１が関数発生器１４へ入力され、該関数発生器１４において誘引通風機ガス流量制御ダンパ開度指令１１に基づき脱硫通風機ガス流量制御ダンパ基本開度指令１５が加算器２４へ出力され、脱硫バイパスダンパ差圧検出器１２によって脱硫バイパスダンパ９の上流側と下流側の差圧１３が検出され、減算器１６において差圧１３と脱硫バイパスダンパ差圧目標値１７との差が求められて差圧偏差信号１８が比例積分調節器１９へ出力され、該比例積分調節器１９において差圧偏差信号１８が比例積分処理されて該差圧偏差信号１８を０とするための脱硫通風機ガス流量制御ダンパ開度補正指令２０が切換リレー２１へ出力され、該切換リレー２１から脱硫通風機ガス流量制御ダンパ開度補正指令２０が信号２２として加算器２４へ出力され、該加算器２４において前記関数発生器１４から出力される脱硫通風機ガス流量制御ダンパ基本開度指令１５と前記切換リレー２１から出力される信号２２との和が求められて脱硫通風機ガス流量制御ダンパ７へ開度指令２５が出力され、脱硫通風機ガス流量制御ダンパ７が開度調整され、これにより、脱硫バイパスライン８における脱硫バイパスダンパ９の下流側圧力が上流側圧力よりも若干高くなるように制御が行われ、脱硫前の未処理の排ガスが脱硫バイパスライン８の脱硫バイパスダンパ９を経て外部へ漏洩することが防止される。
【００２０】
一方、万が一、脱硫装置５の図示していないガスガスヒータやミストエリミネータ等が故障したような場合に、脱硫バイパスダンパ９が開かれると、排ガス流量検出器２７で検出された排ガス流量２６に基づき関数発生器３１から脱硫ガス流量目標値３０が減算器３３へ出力され、該減算器３３において、脱硫ガス流量検出器２９で検出された脱硫ガス流量２８と前記関数発生器３１から出力される脱硫ガス流量目標値３０との差が求められて脱硫ガス流量偏差信号３２が比例積分調節器３５へ出力され、該比例積分調節器３５において減算器３３から出力される脱硫ガス流量偏差信号３２が比例積分処理されて該脱硫ガス流量偏差信号３２を０とするための脱硫通風機ガス流量制御ダンパ開度補正指令３４が切換リレー２１へ出力され、該切換リレー２１から脱硫通風機ガス流量制御ダンパ開度補正指令３４が信号２２として加算器２４へ出力され、該加算器２４において前記関数発生器１４から出力される脱硫通風機ガス流量制御ダンパ基本開度指令１５と前記切換リレー２１から出力される信号２２との和が求められて脱硫通風機ガス流量制御ダンパ７へ開度指令２５が出力され、脱硫通風機ガス流量制御ダンパ７が開度調整され、これにより、脱硫ガス流量２８が脱硫ガス流量目標値３０となるように、即ち排ガス流量２６に対し脱硫ガス流量２８が常に所要量αだけ多くなるように制御が行われる。
【００２１】
ここで、排ガス流量２６に対し脱硫ガス流量２８が常に所要量αだけ多くなるということは、脱硫バイパスライン８の下流側から上流側へ向け所要量αの脱硫後の排ガスが流れて脱硫装置５の上流側の排ガスライン２へ戻されることとなり、この結果、脱硫前の未処理の排ガスが脱硫バイパスライン８の脱硫バイパスダンパ９を経て煙突１０から大気へ放出されることがなくなる。
【００２２】
こうして、脱硫装置５の図示していないガスガスヒータやミストエリミネータ等の故障時に脱硫バイパスダンパ９が開かれた場合にも、硫黄分を含む排ガスが未処理のまま脱硫バイパスライン８を経由して煙突１０から大気へ放出されることを防止し得る。
【００２３】
尚、本発明の脱硫装置のガス流量制御装置は、上述の実施例にのみ限定されるものではなく、本発明の要旨を逸脱しない範囲内において種々変更を加え得ることは勿論である。
【００２４】
【発明の効果】
以上、説明したように本発明の脱硫装置のガス流量制御装置によれば、脱硫装置のガスガスヒータやミストエリミネータ等の故障時に脱硫バイパスダンパ９が開かれた場合にも、硫黄分を含む排ガスが未処理のまま脱硫バイパスライン８を経由して煙突１０から大気へ放出されることを防止し得るという優れた効果を奏し得る。
【図面の簡単な説明】
【図１】本発明の一実施例の概要構成図である。
【図２】図１に示される関数発生器３１に設定されている関数を表わす線図である。
【図３】従来例の概要構成図である。
【図４】図１及び図３に示される関数発生器１４に設定されている関数を表わす線図である。
【符号の説明】
１                  ボイラ本体
２                  排ガスライン
３                  誘引通風機
４                  誘引通風機ガス流量制御ダンパ
５                  脱硫装置
６                  脱硫通風機
７                  脱硫通風機ガス流量制御ダンパ
８                  脱硫バイパスライン
９                  脱硫バイパスダンパ
１０                  煙突
１１                  誘引通風機ガス流量制御ダンパ開度指令
１２                  脱硫バイパスダンパ差圧検出器
１３                  差圧
１４                  関数発生器
１５                  脱硫通風機ガス流量制御ダンパ基本開度指令
１６                  減算器
１７                  脱硫バイパスダンパ差圧目標値
１８                  差圧偏差信号
１９                  比例積分調節器
２０                  脱硫通風機ガス流量制御ダンパ開度補正指令
２１                  切換リレー
２２                  信号
２４                  加算器
２５                  開度指令
２６                  排ガス流量
２７                  排ガス流量検出器
２８                  脱硫ガス流量
２９                  脱硫ガス流量検出器
３０                  脱硫ガス流量目標値
３１                  関数発生器
３２                  脱硫ガス流量偏差信号
３３                  減算器
３４                  脱硫通風機ガス流量制御ダンパ開度補正指令
３５                  比例積分調節器
【図１】
0003575500.tif 000002
【図２】
0003575500.tif 000003
【図３】
0003575500.tif 000004
【図４】
0003575500.tif 000005